(57)【要約】【課題】    障子等を閉鎖状態でロックするハンドル装置において、コンパクトで確実にハンドルの回動を施錠できる錠付ハンドル装置を提供する。【解決手段】    ハンドル（７）の回転軸（１０）を回転可能に保持する台座（６）に係合部（１３）を設ける。ハンドル（７）には、シリンダー錠（１７）と、シリンダー錠により回転され外周に雄ねじ（２２）を有する回動部（１６）と、雌ねじ（２３）を有し回動部（１６）にねじ係合した作用部材（１８）がある。この作用部材（１８）は、回り止めされ、上記係合部（１３）に係合可能な錠杆（１４）を有する。上記シリンダー錠（１７）を鍵で操作すると、錠杆（１４）は、上記回転軸の軸心方向に移動し、係合部（１３）に挿入して施錠したり、離脱して解錠する。【選択図】      図３
2006257691.tif 000002
【特許請求の範囲】
【請求項１】
ロック部を有するハンドルと該ハンドルの回転軸を回転可能に保持し該回転軸の軸心から偏心した位置に係合部を設けた台座を具備し、上記ハンドルに鍵により操作され回動部を有するシリンダー錠と上記係合部に挿入可能な錠杆を有する作用部材を設け、上記シリンダー錠の回動部を回転した際上記作用部材が上記回転軸の軸心方向に沿って前後動して上記錠杆が係合部に挿脱するよう上記作用部材を回り止め状態で上記回動部にねじ係合したことを特徴とする錠付ハンドル装置。
【請求項２】
上記シリンダー錠は、シリンダー錠本体と回動部を別体に有し、該回動部は該シリンダー錠本体に連結されている請求項１に記載の錠付ハンドル装置。
【請求項３】
上記シリンダー錠は、一体的な回動部を有している請求項１に記載の錠付ハンドル装置。
【請求項４】
上記作用部材は雌ねじを形成した作用部材本体を有し、上記回動部は雄ねじを有し、該回動部の雄ねじに作用部材本体の雌ねじをねじ係合している請求項１ないし３のいずれかに記載の錠付ハンドル装置。
【請求項５】
上記作用部材は上記回動部に嵌合する作用部材本体を有し、該作用部材本体若しくは回動部のいずれか一方の部材にら線溝を形成し、他方の部材に該ら線溝に係合するピンを設けた請求項１ないし３のいずれかに記載の錠付ハンドル装置。
【請求項６】
上記回動部は雄ねじを有し、上記作用部材は、該雄ねじに係合するラック歯を有する請求項１ないし３のいずれかに記載の錠付ハンドル装置。
【発明の詳細な説明】
【技術分野】
【０００１】
本発明は、障子や戸の開閉及びロックを行うハンドル装置に関し、特に鍵によりハンドルの回動を施錠できるようにした錠付ハンドル装置に関する。
【背景技術】
【０００２】
障子等の閉鎖を行う装置として、クレセント締り、カムラッチハンドル、締りハンドル等の各種のハンドル装置が用いられており、防犯性を高めるためこれらのハンドル装置にシリンダー錠等の錠を組み込んだ装置も知られている（例えば、特許文献１参照）。また、最近は、障子の開口面積をできるだけ大きくするため、開口部枠や障子枠の占める容積が小さくなり、それに応じて開口部枠や障子枠に取り付ける上記ハンドル装置も小型化される傾向になっているので、錠を組み込むことがむずかしく、特にハンドルの回転軸により多点ロックを行うような構造では一層むずかしい。さらに、従来のシリンダー錠を組み込んだハンドル装置は、シリンダー錠により回転する偏心ピンを施錠部材の横長の孔に嵌合して施錠部材をハンドルの枢軸と直交する方向に、すなわち基台に沿って往復動させ、基台の掛合部に横方向から進入させる構成であるので、全体の構成が大きくなって幅狭の枠に取り付けにくく、また遊びが多くて施錠部材の移動量も少なく、上述したようにハンドル装置を小型化した場合には施錠部材を確実に係合させることができないものもあった。
【特許文献１】実公昭５９−２２８４９号公報（実用新案登録請求の範囲、第２図、第３図）
【発明の開示】
【発明が解決しようとする課題】
【０００３】
本発明の解決課題は、シリンダー錠を組み込み、全体を小型化しても確実にハンドルの回動を施錠することができるハンドル装置を提供することである。
【課題を解決するための手段】
【０００４】
本発明によれば、ロック部を有するハンドルと該ハンドルの回転軸を回転可能に保持し該回転軸の軸心から偏心した位置に係合部を設けた台座を具備し、上記ハンドルに鍵により操作され回動部を有するシリンダー錠と上記係合部に挿入可能な錠杆を有する作用部材を設け、上記シリンダー錠の回動部を回転した際上記作用部材が上記回転軸の軸心方向に沿って前後動して上記錠杆が係合部に挿脱するよう上記作用部材を回り止め状態で上記回動部にねじ係合したことを特徴とする錠付ハンドル装置が提供され、上記課題が解決される。
【発明の効果】
【０００５】
本発明は上記のように構成され、シリンダー錠の回動部と作用部材をねじ係合し、該回動部が回転した際作用部材が回転軸の軸心方向に沿って前後動して該作用部材に設けた錠杆が台座の係合部に挿脱するようにしたので、遊びが少なくかつ該錠杆の移動量を大きくして係合部に確実に係合させることができ、また上記作用部材をハンドルの回転軸の軸心方向に沿って移動するように設けたから、全体をコンパクトに形成でき、幅狭の障子枠や開口部材にも容易に取り付けることができる。
【発明を実施するための最良の形態】
【０００６】
図１は、本発明の錠付ハンドル装置が使用される障子等の一実施例を示し、竪枠（２）、横枠（図示略）等を含む開口部枠（１）の内方には、障子枠（３）を有する障子（４）が矢印（５）方向に開閉可能に設けられている。錠付ハンドル装置は、障子枠（３）の適所に固定される台座（６）と該台座（６）に回転可能に枢着されたハンドル（７）を含み、該ハンドル（７）の爪片状のロック部（８）が係合する受け具（９）が開口部枠（１）に設けられている。なお、上記ロック部や受け具の形状、構造等はハンドル装置の用途等に応じて適宜に形成され、障子枠側に受け具を設け開口部枠側にハンドル装置を設けることもできる。
【０００７】
図２、図３を参照し、上記ハンドル（７）は回転軸（１０）を台座（６）の軸孔（１１）に回転可能に挿入し、抜け出さないよう適宜の止着具（１２）で保持され、多点ロック式の場合には回転軸の先端部に関連構造（図示略）が設けられるが、上記ロック部（８）等のみを用いる場合には、該先端部は不要である。
【０００８】
上記台座（６）には、上記回転軸（１０）の軸心から偏心した位置に係合部（１３）が設けられている。該係合部（１３）は、上記ハンドル（７）が障子（４）を閉鎖状態にロックしている位置にあるとき、該ハンドル（７）に設けた錠杆（１４）を挿入させることができるような位置に設けられ、該錠杆（１４）の先端が挿入してハンドルの回動を阻止できるような孔、溝、切欠等の適宜の形状に形成されている。
【０００９】
上記ハンドル（７）の回転軸（１０）に沿って形成した受孔（１５）内には、鍵（図示略）により操作され回動部（１６）を有するシリンダー錠（１７）と上記錠杆（１４）を有する作用部材（１８）が設けられている。そして、上記シリンダー錠（１７）の回動部（１６）を回転した際、上記作用部材（１８）が上記回転軸（１０）の軸心方向に沿って前後動し上記錠杆（１４）が上記係合部（１３）に挿脱するよう上記作用部材（１８）は、回り止め状態で上記回動部（１６）にねじ係合されている。
【００１０】
上記シリンダー錠（１７）の回動部（１６）は、公知のように鍵により回転されるシリンダー錠本体（１９）をそのまま回動部として一体的に構成してもよいが、図２、図３に示す実施例では、上記シリンダー錠本体（１９）と回動部（１６）を別体に構成し、シリンダー錠本体（１９）に設けられている偏心ピン（２０）を回動部（１６）に形成した受溝（２１）に挿入係合させて着脱可能に連結できるようにしてあり、この回動部（１６）と上記作用部材（１８）がねじ係合するようにしてある。
【００１１】
上記回動部（１６）と作用部材（１８）のねじ係合構造は、種々に構成することができる。図２、図３に示す実施例では、上記回動部（１６）は外周に雄ねじ（２２）を有し、該雄ねじ（２２）にねじ係合する雌ねじ（２３）を有する作用部材本体（２４）を作用部材（１８）に設けてある。該作用部材本体（２４）は、外形が略矩形状に形成され、上記受孔（１５）に連通する角孔部（２５）に回り止め状態で摺動可能に嵌合し、上記錠杆（１４）に設けた係合孔（２６）に係合する連結突起（２７）を有している。なお、該作用部材本体を略筒状に形成し、外周に適宜の回り止め突起等を設けるようにしてもよい。
【００１２】
上記角孔部（２５）は側方に開口されており、上記回動部（１６）と作用部材本体（２４）はねじ係合させて組み立てた後、この側方開口（２８）から挿入される。このとき該回動部（１６）の一端を受孔（１５）の側壁に当接すると共に予め上記ハンドル（７）に設けた通孔（２９）に貫挿してある錠杆（１４）の係合孔（２６）に上記連結突起（２７）を係合させる。その後受孔（１５）の前方開口（３０）からシリンダー錠本体（１９）を挿入して上記偏心ピン（２０）を上記回動部（１６）の受溝（２１）に挿入し、該シリンダー錠を抜け止めすると共に上記側方開口（２８）を蓋（３１）で閉塞してある。また、所望により上記作用部材が側方開口から脱落しないようストッパー等の適宜の保持手段を設けることができる。この構成により、上記シリンダー錠（１７）を鍵により操作して上記回動部（１６）を回転すると、上記作用部材（１８）は回転軸（１０）の軸心方向に沿って前後動し、上記錠杆（１４）を上記係合部（１３）に挿脱することができる。
【００１３】
図４に示す実施例には、ら線溝を用いたねじ係合が示されている。図において、作用部材（１８）の作用部材本体（３２）は円形の内孔を有する角筒状に形成され、回動部（３３）の外周に嵌合している。該作用部材本体（３２）は、上記実施例と同じように外面が角孔部（２５）に回り止め状態で摺動可能に嵌合し、図示を省略した錠杆に係合する連結突起を有している。而して、上記作用部材本体（３２）若しくは回動部（３３）のいずれか一方の部材、図に示す実施例では作用部材本体（３２）には、ら線溝（３４）が形成され、他方の部材、図に示す実施例では回動部（３３）には、該ら線溝（３４）に係合するピン（３５）が設けられている。シリンダー錠（１７）により回動部（３３）が回転すると、上記ら線溝（３４）及びピン（３５）により上記作用部材本体（３２）は前後動し、上記錠杆を係合部に挿脱することができる。図示とは逆に、回動部にら線溝を設け、作用部材本体にピンを設けても、ぼぼ同様に作用させることができる。
【００１４】
図５には、さらに他の実施例が示されている。シリンダー錠（１７）の回動部（１６）は、上記図３に示す実施例とほぼ同様に外周に雄ねじ（２２）を有しているが、作用部材（３６）は、錠杆（３７）と一体的に形成され、上記雄ねじ（２２）に係合するラック歯（３８）を有している。該作用部材（３６）は、角孔部（２５）に回り止め状態で摺動可能に嵌合しているから、上記シリンダー錠（１７）により回動部（１６）が回動すると、前後動し、上記錠杆（３７）を台座の係合部（図示略）に挿脱することができる。
【００１５】
以上の各実施例に示すように、鍵によりシリンダー錠を操作すれば、錠杆（１４）、（３７）はハンドル（７）の回転軸（１０）の軸心方向に沿って前後動し、台座（６）に設けた係合部（１３）に係合してハンドルの回動を施錠したり、該係合部（１３）から離脱してハンドルを解錠することができる。なお、所望により係合部を複数設けてハンドルを複数個所で施解錠できるようにしたり、上記作用部材が回転軸の軸心に対し傾斜する方向に移動して錠杆が係合部に挿脱するようにしてもよい。
【図面の簡単な説明】
【００１６】
【図１】障子の一例を示す説明図。
【図２】ハンドル装置の正面図。
【図３】一部の拡大断面図。
【図４】他の実施例を示す説明図。
【図５】さらに他の実施例を示す説明図。
【符号の説明】
【００１７】
６  台座
７  ハンドル
８  ロック部
１０  回転軸
１３  係合部
１４  錠杆
１６  回動部
１７  シリンダー錠
１８  作用部材
２２  雄ねじ
２３  雌ねじ
２５  角孔部
【図１】
2006257691.tif 000003
【図２】
2006257691.tif 000004
【図３】
2006257691.tif 000005
【図４】
2006257691.tif 000006
【図５】
2006257691.tif 000007